(57)【要約】【課題】空調設備の稼働量を抑制することのできる開閉制御装置を提供する。【解決手段】開閉制御装置３０は、空間２内を空調する空調設備１０の空調に関する設定情報（設定温度）を取得する通信部３４と、設定情報と比較可能であり空間２内の環境状態を示す空間内情報（空間内気温）を取得する空間内気温測定部３５と、設定温度と空間内気温との温度差が所定値よりも大きいときに、空間２に設けられる開口部２０を開閉する自動ドア２１による開口部２０の開口量を制限させる判断部３１及び開閉制御部３２とを備える。【選択図】図２
2020079524.tif 000002
【特許請求の範囲】
【請求項１】
空間内を空調する空調設備の前記空調に関する設定情報を取得する設定情報取得部と、
前記設定情報と比較可能であり前記空間内の環境状態を示す空間内情報を取得する空間内情報取得部と、
前記設定情報の値と前記空間内情報の値との差が所定値よりも大きいときに、前記空間に設けられる開口部を開閉する開閉部による前記開口部の開口量を制限する制限部と、を備える
開閉制御装置。
【請求項２】
前記設定情報と比較可能であり前記空間外の環境状態を示す空間外情報を取得する空間外情報取得部を備え、
前記制限部は、前記空間外情報の値が前記設定情報の値と前記空間内情報の値との間であるときに、前記開閉部による前記開口量を増加させる
請求項１に記載の開閉制御装置。
【請求項３】
前記制限部は、所定時間の間、前記開閉部による前記開口量を制限せず、前記所定時間の経過後に前記設定情報の値と前記空間内情報の値との差が前記所定値よりも大きいときに、前記開閉部による前記開口量を制限する
請求項１又は２に記載の開閉制御装置。
【請求項４】
前記制限部は、前記差が前記所定値よりも大きく、且つ前記空調設備の空調負荷が大きいときに、前記開閉部による前記開口量を制限する
請求項１〜３のいずれか一項に記載の開閉制御装置。
【請求項５】
前記開閉部による前記開口量の制限は、前記開閉部を開動作させるためのセンサが人又は物体を検知する検知範囲を狭くすることで行う
請求項１〜４のいずれか一項に記載の開閉制御装置。
【請求項６】
前記開閉部による前記開口量の制限は、前記開閉部の開状態の時間を短縮することで行う
請求項１〜５のいずれか一項に記載の開閉制御装置。
【請求項７】
前記開閉部による前記開口量の制限は、前記開閉部の開動作を手動でのみ可能とすることで行う
請求項１〜６のいずれか一項に記載の開閉制御装置。
【請求項８】
前記開閉部によって前記開口量を制限していることを報知する報知部を備える
請求項１〜７のいずれか一項に記載の開閉制御装置。
【発明の詳細な説明】
【技術分野】
【０００１】
本発明は、開閉制御装置に関する。
【背景技術】
【０００２】
建物に設けられる部屋等の空間の出入口には、自動ドアが設置されている。そして、自動ドアの内外の環境変化に応じてドアの開閉を制御する開閉制御装置が開発されている（例えば、特許文献１参照。）。
【０００３】
上記の開閉制御装置では、温度、湿度、風速、騒音等の異なる情報を検知して、環境モードを判断して、環境モードに基づいてドアの開閉速度や開閉ストロークの指令データを選定して、指令データを出力している。
【先行技術文献】
【特許文献】
【０００４】
【特許文献１】特開平７−１８９４６号公報
【発明の概要】
【発明が解決しようとする課題】
【０００５】
ところで、上記の開閉制御装置では、自動ドア等の開閉部は開閉動作するため、空調設備の空調効果を低下させる原因となっている。そこで、空調設備の稼働量を抑制することのできる開閉制御装置が求められている。なお、開閉部は、自動ドアに限らず、開口部において空間内と空間外との空気を出入りさせることができる窓等も含む。
【０００６】
本発明は、こうした実情に鑑みてなされたものであり、その目的は、空調設備の稼働量を抑制することのできる開閉制御装置を提供することにある。
【課題を解決するための手段】
【０００７】
上記課題を解決する開閉制御装置は、空間内を空調する空調設備の前記空調に関する設定情報を取得する設定情報取得部と、前記設定情報と比較可能であり前記空間内の環境状態を示す空間内情報を取得する空間内情報取得部と、前記設定情報の値と前記空間内情報の値との差が所定値よりも大きいときに、前記空間に設けられる開口部を開閉する開閉部による前記開口部の開口量を制限する制限部と、を備える。
【０００８】
上記構成によれば、開閉部による開口部の開口量を制限することで、開口部における空気の出入りが抑制されて、空間内の環境状態の変動が抑制され、空調設備の設定情報の値に空間内情報の値が達するまでの時間を短くすることができる。よって、空調設備の稼働量を抑制することができる。
【０００９】
上記開閉制御装置について、前記設定情報と比較可能であり前記空間外の環境状態を示す空間外情報を取得する空間外情報取得部を備え、前記制限部は、前記空間外情報の値が前記設定情報の値と前記空間内情報の値との間であるときに、前記開閉部による前記開口量を増加させることが好ましい。
【００１０】
上記構成によれば、空間内情報の値よりも空間外情報の値の方が設定情報の値に近いため、開閉部による開口量を増加させることで、空間外の空気が空間内に入り、空間内情報の値が設定情報の値に近づき易くなり、空調設備の設定情報の値に空間内情報の値が達するまでの時間を短くすることができる。
【００１１】
上記開閉制御装置について、前記制限部は、所定時間の間、前記開閉部による前記開口量を制限せず、前記所定時間の経過後に前記設定情報の値と前記空間内情報の値との差が前記所定値よりも大きいときに、前記開閉部による前記開口量を制限することが好ましい。上記構成によれば、所定時間の間は通常通り開閉部による開口部の開口量が制限されないため、利便性の低下を抑制することができる。
【００１２】
上記開閉制御装置について、前記制限部は、前記差が前記所定値よりも大きく、且つ前記空調設備の空調負荷が大きいときに、前記開閉部による前記開口量を制限することが好ましい。
【００１３】
上記構成によれば、空調負荷が大きい、つまり空調設備に影響が大きいときに開閉部による開口部の開口量が制限されるため、空調設備への影響を抑制しつつ、利便性の低下を抑制することができる。
【００１４】
上記開閉制御装置について、前記開閉部による前記開口量の制限は、前記開閉部を開動作させるためのセンサが人又は物体を検知する検知範囲を狭くすることで行うことが好ましい。上記構成によれば、開閉部が開動作するセンサの検知範囲が小さくなると、センサの検知が減るため、開閉部による開口部の開口量を制限することができる。
【００１５】
上記開閉制御装置について、前記開閉部による前記開口量の制限は、前記開閉部の開状態の時間を短縮することで行うことが好ましい。
上記構成によれば、開閉部の開状態の時間が減るため、開閉部による開口部の開口量を制限することができる。
【００１６】
上記開閉制御装置について、前記開閉部による前記開口量の制限は、前記開閉部の開動作を手動でのみ可能とすることで行うことが好ましい。
上記構成によれば、開閉部が自動で開かないので、開状態の時間が減り、開閉部による開口部の開口量を制限することができる。
【００１７】
上記開閉制御装置について、前記開閉部によって前記開口量を制限していることを報知する報知部を備えることが好ましい。
上記構成によれば、報知部により開閉部によって開口部の開口量を制限していることが報知されるので、開閉部の利用者が開閉部の状況を理解して対応することができる。
【発明の効果】
【００１８】
本発明によれば、空調設備の稼働量を抑制することができる。
【図面の簡単な説明】
【００１９】
【図１】第１の実施形態の開閉制御装置が制御する開閉部及び空調設備が設置される空間を示す上面図。
【図２】同実施形態の開閉制御装置の構成を示すブロック図。
【図３】同実施形態の開閉制御装置による各状況に対するモードを示す図。
【図４】同実施形態の開閉制御装置の動作を示すフローチャート。
【図５】同実施形態の開閉制御装置による各状況に対するモードを示す図。
【図６】同実施形態の開閉制御装置の動作を示すフローチャート。
【図７】同実施形態の開閉制御装置による各状況に対するモードを示す図。
【図８】同実施形態の開閉制御装置の動作を示すフローチャート。
【図９】第２の実施形態の開閉制御装置が制御する開閉部が設置される空間を示す上面図。
【図１０】同実施形態の開閉制御装置の構成を示すブロック図。
【図１１】同実施形態の開閉制御装置による各状況に対するモードを示す図。
【図１２】同実施形態の開閉制御装置の動作を示すフローチャート。
【図１３】開閉制御装置が制御する開閉部の変形例を示す上面図。
【図１４】開閉制御装置が制御する開閉部が設置される空間の変形例を示す上面図。
【発明を実施するための形態】
【００２０】
（第１の実施形態）
以下、図１〜図８を参照して、開閉制御装置の第１の実施形態について説明する。開閉制御装置は、建物に含まれる空間に設けられる開口部を開閉する自動ドアに設けられている。
【００２１】
図１に示すように、建物１に含まれる空間２には、この空間２内を空調する空調設備１０が図中左側に設置されている。また、この空間２には、人が空間２を出入りする開口部２０が図中右側に設置されている。開口部２０には、この開口部２０を開閉する開閉部としての自動ドア２１が設置されている。自動ドア２１は、２枚の扉２１Ａ，２１Ｂが水平方向（図面上下方向）に移動することで開口部２０を開閉する。図中上側の扉２１Ａは、図面上側へ移動することで開口部２０を開き、図面下側へ移動することで開口部２０を閉じる。図中下側の扉２１Ｂは、図面下側へ移動することで開口部２０を開き、図面上側へ移動することで開口部２０を閉じる。なお、空調設備１０及び開口部２０（自動ドア２１）の位置は建物１や空間２に合わせて任意に設定可能である。
【００２２】
図２に示すように、空調設備１０は、空調を行う空調部１１と、空調設備１０の空調に関する設定情報等を外部と通信する通信部１２とを備えている。空調部１１は、設定温度や設定湿度等の設定情報に従って送風する空気を調整することで空間２内の環境を調整する。通信部１２は、稼動情報、設定温度ＴＰ等の設定情報を外部に送信する。
【００２３】
自動ドア２１は、扉２１Ａ，２１Ｂと、扉２１Ａ，２１Ｂを駆動する駆動装置２２と、扉２１Ａ，２１Ｂの開閉を制御する開閉制御装置３０とを備えている。駆動装置２２は、図示しない伝達機構を介して扉２１Ａ，２１Ｂを駆動する。
【００２４】
開閉制御装置３０は、扉２１Ａ，２１Ｂの開閉を行うか否かの判断を行う判断部３１と、扉２１Ａ，２１Ｂの開閉を指示する開閉制御部３２と、開閉制御部３２の指示に従って駆動装置２２を駆動させる駆動部３３とを備えている。判断部３１と開閉制御部３２とは、電気的に接続されている。また、開閉制御部３２と駆動部３３とは、電気的に接続されている。駆動部３３と駆動装置２２とは、電気的に接続されている。
【００２５】
開閉制御部３２が開指令を駆動部３３に出力することにより、駆動部３３が駆動装置２２を開駆動する。開閉制御部３２が閉指令を駆動部３３に出力することにより、駆動部３３が駆動装置２２を閉駆動する。駆動部３３は、開閉制御部３２の指令に従って、扉２１Ａ，２１Ｂが全開状態、全閉状態、停止状態等の各状態となるように駆動装置２２を駆動制御する。
【００２６】
開閉制御装置３０は、空調設備１０の空調に関する設定情報として設定温度ＴＰを取得する通信部３４と、空間２内の環境状態を示す気温である空間内気温ＴＲを取得する空間内気温測定部３５と、自動ドア２１の動作状態を報知する報知部３６とを備えている。判断部３１は、通信部３４と、空間内気温測定部３５と、報知部３６と電気的に接続されている。空間内気温測定部３５は、空間内気温ＴＲを判断部３１に出力する。通信部３４は、設定情報取得部として機能し、空調設備１０の通信部１２と通信することで、設定情報を受信して、稼動情報及び設定情報を判断部３１に出力する。なお、設定温度ＴＰと空間内気温ＴＲとは比較可能である。
【００２７】
開閉制御装置３０は、設定情報の値と空間内情報の値との差が所定値よりも大きいときに、開口部２０を開閉する自動ドア２１による開口部２０の開口量を制限する。すなわち、判断部３１は、空調設備１０の設定温度ＴＰと空間内気温ＴＲとの温度差ＴＤが所定値ＶＳよりも大きいか否かを判断する。判断部３１は、設定温度ＴＰと空間内気温ＴＲとの温度差ＴＤが所定値ＶＳよりも大きいときに、自動ドア２１による開口部２０の開口量を制限する開閉動作を開閉制御部３２に指示する。
【００２８】
ここで、「開口部２０の開口量」とは、単位時間当たりの開口面積であり、開口部２０の開放時間が長くなるほど開口量は増大し、また開口部２０の開口幅や開口高さが長くなるほど開口量は増大する。
【００２９】
よって、扉２１Ａ，２１Ｂを開動作させる検知センサの検知範囲が広くなるほど自動ドア２１によって扉２１Ａ，２１Ｂが開動作するタイミングが早くなり、開口部２０の開放時間が長くなるので、開口量は増大する。逆に、当該検知範囲が狭くなるほど自動ドア２１によって扉２１Ａ，２１Ｂが開動作するタイミングが遅くなり、開口部２０の開放時間が短くなるので、開口量は減少する。
【００３０】
また、開口部２０を通過した後についても、検知範囲が広くなるほど自動ドア２１によって扉２１Ａ，２１Ｂが開状態に維持される時間が長くなり、開口部２０の開放時間が長くなるので、開口量は増大する。逆に、当該検知範囲が狭くなるほど自動ドア２１によって扉２１Ａ，２１Ｂが開状態に維持される時間が短くなり、開口部２０の開放時間が短くなるので、開口量は減少する。
【００３１】
更に、扉２１Ａ，２１Ｂの開速度を所定値よりも高くしたり、閉速度を所定値よりも低くしたりすることにより、開口部２０の開放時間が長くなるので、開口量は増大する。逆に、開速度を所定値よりも低くしたり、閉速度を所定値よりも高くしたりすることにより、開口部２０の開放時間が短くなるので、開口量は減少する。
【００３２】
更に、検知範囲の検知状況によらず強制的に開口部２０の開放状態を所定時間維持する場合において、当該所定時間を長くすることで開口量を増大させたり、当該所定時間を短くすることで開口量を減少させたりすることができる。
【００３３】
その他、上記に限らず、開口部２０の単位時間当たりの開口面積の調整に関する自動ドア２１の設定値であれば、どのようなものであっても構わない。
開閉制御装置３０は、所定時間ＴＨの間、自動ドア２１による開口部２０の開口量を制限せず、所定時間ＴＨの経過後に設定温度ＴＰと空間内気温ＴＲとの温度差ＴＤが所定値ＶＳよりも大きいか否かを判断する。
【００３４】
開閉制御部３２は、設定温度ＴＰと空間内気温ＴＲとの温度差ＴＤが所定値ＶＳ以下であるときには、自動ドア２１の動作モードを「通常モード」に設定する。すなわち、判断部３１は、温度差ＴＤが所定値ＶＳ以下であると判断すると、開閉制御部３２に動作モードを「通常モード」に設定させる。そして、開閉制御部３２は、判断部３１の設定に従って自動ドア２１を「通常モード」で開閉制御する。「通常モード」は、通常状態の動作モードとして設定されるものであり、自動ドア２１による開口部２０の開口量が制限されていない動作モードある。ここで、「開口部２０の開口量が制限されていない」とは、自動ドア２１に予め設定されている、扉２１Ａ，２１Ｂを開動作させるための検知センサの検知範囲の広さを含む設定値や、扉２１Ａ，２１Ｂの開閉速度や開状態の時間等の種々の設定値等が通常状態で設定されるものと同じであることをいう。
【００３５】
開閉制御部３２は、設定温度ＴＰと空間内気温ＴＲとの温度差ＴＤが所定値ＶＳよりも大きいときには、自動ドア２１の動作モードを「閉鎖モード」に設定する。すなわち、判断部３１は、温度差ＴＤが所定値ＶＳよりも大きいと判断すると、開閉制御部３２に動作モードを「閉鎖モード」に設定させる。そして、開閉制御部３２は、判断部３１の設定に従って自動ドア２１を「閉鎖モード」で開閉制御する。「閉鎖モード」は、自動ドア２１による開口部２０の開口量が制限される動作モードである。
【００３６】
例えば、開口部２０の開口量の制限は、扉２１Ａ，２１Ｂが開く検知センサの検知範囲を通常よりも扉２１Ａ，２１Ｂ寄りに狭くすることで、人の位置に対する扉２１Ａ，２１Ｂが開く開始タイミングを通常よりも遅くするとともに、扉２１Ａ，２１Ｂの前を通り過ぎるときの無駄な開き動作を抑制することで行う。また、当該検知センサと開口部２０を挟んで反対側に設けられている検知センサの検知範囲を通常よりも扉２１Ａ，２１Ｂ寄りに狭くすることで、人の位置に対する扉２１Ａ，２１Ｂが閉じる開始タイミングを通常よりも早くすることで開口部２０の開口量を制限してもよい。
【００３７】
また、開口部２０の開口量の制限は、扉２１Ａ，２１Ｂの開状態の時間を短縮することで行う。例えば、扉２１Ａ，２１Ｂが開くときの速度を通常よりも高くしたり、扉２１Ａ，２１Ｂが閉じる開始タイミングを通常よりも早くしたりする。また、扉２１Ａ，２１Ｂが全開状態にある時間を短くしたり、扉２１Ａ，２１Ｂが閉じるときの速度を通常よりも高くしたりする。また、開口部２０の開口量の制限は、扉２１Ａ，２１Ｂが開状態であるときの開口部２０の開口幅を減少させることで行う。
【００３８】
判断部３１は、空間内気温ＴＲが設定温度ＴＰに達したり、温度差ＴＤが所定値ＶＳ以下となったりすると、開閉制御部３２に自動ドア２１の動作モードの「閉鎖モード」を終了させて、自動ドア２１の動作モードを「通常モード」に設定させる。
【００３９】
報知部３６は、自動ドア２１の動作モードが「閉鎖モード」に設定されたときに、開口部２０の開口量を制限していることを報知する。報知部３６は、音声や音を発するスピーカであってもよいし、報知内容を表示する表示装置であってもよい。なお、報知部３６のスピーカや表示装置等の設置位置は、開閉制御装置３０が備えられる無目、扉２１Ａ，２１Ｂ、扉２１Ａ，２１Ｂを収納する戸袋やフィックス等に任意に設定可能である。
【００４０】
次に、図３及び図４を併せ参照して、開閉制御装置３０の動作について説明する。なお、図３の「状況Ａ」及び「状況Ｂ」では、空調設備１０は設定温度１８℃で稼働状態である。図３の動作モードは、図４のフローチャートによって決定される動作モードである。
【００４１】
まず、図３に示す「状況Ａ」の場合について図４に従って説明する。
図４に示すように、開閉制御装置３０は、空調が稼動状態であるか否かを判断する（ステップＳ１１）。すなわち、判断部３１は、通信部３４を介して得た稼動していることを示す稼動情報があるため、空調設備１０が稼動状態であると判断して（ステップＳ１１：ＹＥＳ）、空調設備１０の設定温度ＴＰを取得する（ステップＳ１２）。すなわち、判断部３１は、通信部３４を介して設定温度ＴＰとして「１８℃」を取得する。
【００４２】
なお、判断部３１は、通信部１２を介して得た稼動していることを示す稼動情報がないときには、空調設備１０が稼動状態でないと判断して（ステップＳ１１：ＮＯ）、開閉制御部３２に自動ドア２１の動作モードを「通常モード」に設定させて（ステップＳ１９）、ステップＳ１１に移行する。ステップＳ１９において、開閉制御部３２は、人が開口部２０の検知範囲に侵入すると扉２１Ａ，２１Ｂを開き、通常の開維持時間が経過すると閉じる制御を行う。
【００４３】
続いて、開閉制御装置３０は、空間内気温ＴＲを取得する（ステップＳ１３）。すなわち、判断部３１は、空間内気温測定部３５から空間内気温ＴＲとして「１７℃」を取得する。
【００４４】
続いて、開閉制御装置３０は、温度差ＴＤを算出する（ステップＳ１４）。すなわち、判断部３１は、設定温度ＴＰ（１８℃）と空間内気温ＴＲ（１７℃）との温度差ＴＤ（１８℃−１７℃＝１℃）を算出する。
【００４５】
続いて、開閉制御装置３０は、温度差ＴＤが所定値ＶＳよりも大きいか否かを判断する（ステップＳ１５）。すなわち、判断部３１は、温度差ＴＤが所定値ＶＳよりも大きいか否かを判断する。そして、判断部３１は、温度差ＴＤ（１℃）が所定値ＶＳ（５℃）以下であると判断すると（ステップＳ１５：ＮＯ）、開閉制御部３２に自動ドア２１の動作モードを「通常モード」に設定させて（ステップＳ１９）、ステップＳ１１に移行する。
【００４６】
次に、図３に示す「状況Ｂ」の場合について図４に従って説明する。
図４に示すように、開閉制御装置３０は、空間内気温ＴＲを取得する（ステップＳ１３）。すなわち、判断部３１は、空間内気温測定部３５から空間内気温ＴＲとして「１０℃」を取得する。
【００４７】
続いて、開閉制御装置３０は、温度差ＴＤを算出する（ステップＳ１４）。すなわち、判断部３１は、設定温度ＴＰ（１８℃）と空間内気温ＴＲ（１０℃）との温度差ＴＤ（１８℃−１０℃＝８℃）を算出する。
【００４８】
続いて、開閉制御装置３０は、温度差ＴＤが所定値ＶＳよりも大きいか否かを判断する（ステップＳ１５）。すなわち、判断部３１は、温度差ＴＤ（８℃）が所定値ＶＳ（５℃）よりも大きいと判断すると（ステップＳ１５：ＹＥＳ）、開閉制御部３２に自動ドア２１の動作モードを「閉鎖モード」に設定させる（ステップＳ１６）。ステップＳ１６において、開閉制御部３２は、扉２１Ａ，２１Ｂが開状態である時間が短くなるよう制御を行うことで、開口部２０の開口量を制限する。
【００４９】
続いて、開閉制御装置３０は、「閉鎖モード」を報知する（ステップＳ１７）。すなわち、報知部３６は、自動ドア２１によって開口部２０の開口量を制限していることを報知する。
【００５０】
続いて、開閉制御装置３０は、所定時間が経過したか否かを判断する（ステップＳ１８）。すなわち、判断部３１は、自動ドア２１の動作モードが「通常モード」から「閉鎖モード」になってからの経過時間が所定時間（１０分）未満である場合には、所定時間（１０分）が経過していないと判断して（ステップＳ１８：ＮＯ）、所定時間（１０分）が経過するまで待機する。
【００５１】
一方、判断部３１は、自動ドア２１の動作モードが「通常モード」から「閉鎖モード」になってからの経過時間が所定時間（１０分）以上である場合には、所定時間（１０分）が経過したと判断して（ステップＳ１８：ＹＥＳ）、ステップＳ１１に移行する。
【００５２】
次に、本実施形態の効果について説明する。
（１）自動ドア２１による開口部２０の開口量を制限することで、開口部２０における空気の出入りが抑制されて、空間２内の環境状態の変動が抑制され、空調設備１０の設定情報の値に空間内情報の値が達するまでの時間を短くすることができる。よって、空調設備１０の稼働量を抑制することができる。
【００５３】
（２）所定時間ＴＨの間は通常通り自動ドア２１による開口部２０の開口量が制限されないため、利便性の低下を抑制することができる。
（３）自動ドア２１が開動作する検知センサの検知範囲が狭くなると、センサの検知が減るため、自動ドア２１による開口部２０の開口量を制限することができる。
【００５４】
（４）自動ドア２１の開状態の時間が減るため、自動ドア２１による開口部２０の開口量を制限することができる。
（５）自動ドア２１が自動で開かないので、開状態の時間が減り、自動ドア２１による開口部２０の開口量を制限することができる。
【００５５】
（６）報知部３６により自動ドア２１によって開口部２０の開口量を制限していることが報知されるので、開口部２０の利用者が自動ドア２１の状況を理解して対応することができる。
【００５６】
（第２の実施形態）
以下、図５及び図６を参照して、開閉制御装置の第２の実施形態について説明する。この実施形態の開閉制御装置は、空調設備の空調負荷を加味して開閉部による開口部の開口量を制限する点が上記第１の実施形態と異なっている。以下、第１の実施形態との相違点を中心に説明する。
【００５７】
開閉制御装置３０は、設定情報の値と空間内情報の値との差が所定値よりも大きく、且つ空調負荷が大きいときに、開口部２０を開閉する自動ドア２１による開口部２０の開口量を制限する。すなわち、判断部３１は、空調負荷が大きいか否かを判断する。ここでは、判断部３１は、空調風量が強いときに空調負荷が大きいと判断し、空調風量が弱いときに空調負荷が小さいと判断する。また、判断部３１は、空調設備１０が取り込んだ空気の温度と設定温度ＴＰとの差が大きいときに空調負荷が大きいと判断し、空調設備１０が取り込んだ空気の温度と設定温度ＴＰとの差が小さいときに空調負荷が小さいと判断してもよい。判断部３１は、設定温度ＴＰと空間内気温ＴＲとの温度差ＴＤが所定値ＶＳよりも大きく、且つ空調負荷が大きいときに、自動ドア２１による開口部２０の開口量を制限する開閉動作を開閉制御部３２に指示する。
【００５８】
判断部３１は、設定温度ＴＰと空間内気温ＴＲとの温度差ＴＤが所定値ＶＳ以下であるときには、開閉制御部３２に自動ドア２１の動作モードを「通常モード」に設定させる。また、判断部３１は、設定温度ＴＰと空間内気温ＴＲとの温度差ＴＤが所定値ＶＳよりも大きく、且つ空調負荷が大きいときに、開閉制御部３２に自動ドア２１の動作モードを「閉鎖モード」に設定させる。
【００５９】
次に、図５及び図６を併せ参照して、開閉制御装置３０の動作について説明する。なお、図５の「状況Ｃ」、「状況Ｄ」、及び「状況Ｅ」では、空調設備１０は設定温度１８℃で稼働状態である。図５の動作モードは、図６のフローチャートによって決定される動作モードである。
【００６０】
まず、図５に示す「状況Ｃ」の場合について図６に従って説明する。
図６に示すように、空間内気温ＴＲを取得する（ステップＳ１３）。すなわち、判断部３１は、空間内気温測定部３５から空間内気温ＴＲとして「１７℃」を取得する。
【００６１】
続いて、開閉制御装置３０は、温度差ＴＤを算出する（ステップＳ１４）。すなわち、判断部３１は、設定温度ＴＰ（１８℃）と空間内気温ＴＲ（１７℃）との温度差ＴＤ（１８℃−１７℃＝１℃）を算出する。
【００６２】
続いて、開閉制御装置３０は、温度差ＴＤが所定値ＶＳよりも大きいか否かを判断する（ステップＳ１５）。すなわち、判断部３１は、温度差ＴＤ（１℃）が所定値ＶＳ（５℃）以下であると判断すると（ステップＳ１５：ＮＯ）、開閉制御部３２に自動ドア２１の動作モードを「通常モード」に設定させて（ステップＳ１９）、ステップＳ１１に移行する。
【００６３】
次に、図５に示す「状況Ｄ」の場合について図６に従って説明する。
図６に示すように、空間内気温ＴＲを取得する（ステップＳ１３）。すなわち、判断部３１は、空間内気温測定部３５から空間内気温ＴＲとして「１０℃」を取得する。
【００６４】
続いて、開閉制御装置３０は、温度差ＴＤを算出する（ステップＳ１４）。すなわち、判断部３１は、設定温度ＴＰ（１８℃）と空間内気温ＴＲ（１０℃）との温度差ＴＤ（１８℃−１０℃＝８℃）を算出する。
【００６５】
続いて、開閉制御装置３０は、温度差ＴＤが所定値ＶＳよりも大きいか否かを判断する（ステップＳ１５）。すなわち、判断部３１は、温度差ＴＤ（８℃）が所定値ＶＳ（５℃）よりも大きいと判断すると（ステップＳ１５：ＹＥＳ）、ステップＳ２０に移行する。
【００６６】
続いて、開閉制御装置３０は、空調負荷が大きいか否かを判断する（ステップＳ２０）。すなわち、判断部３１は、空調風量が「弱い」ので空調負荷が小さいと判断すると（ステップＳ２０：ＮＯ）、開閉制御部３２に自動ドア２１の動作モードを「通常モード」に設定させて（ステップＳ１９）、ステップＳ１１に移行する。
【００６７】
次に、図５に示す「状況Ｅ」の場合について図６に従って説明する。
図６に示すように、開閉制御装置３０は、空調設備１０の設定温度ＴＰを取得する（ステップＳ１２）。すなわち、判断部３１は、通信部３４を介して設定温度ＴＰとして「１８℃」を取得する。
【００６８】
続いて、開閉制御装置３０は、空間内気温ＴＲを取得する（ステップＳ１３）。すなわち、判断部３１は、空間内気温測定部３５から空間内気温ＴＲとして「１０℃」を取得する。
【００６９】
続いて、開閉制御装置３０は、温度差ＴＤを算出する（ステップＳ１４）。すなわち、判断部３１は、設定温度ＴＰ（１８℃）と空間内気温ＴＲ（１０℃）との温度差ＴＤ（１８℃−１０℃＝８℃）を算出する。
【００７０】
続いて、開閉制御装置３０は、温度差ＴＤが所定値ＶＳよりも大きいか否かを判断する（ステップＳ１５）。すなわち、判断部３１は、温度差ＴＤ（８℃）が所定値ＶＳ（５℃）よりも大きいと判断すると（ステップＳ１５：ＹＥＳ）、ステップＳ２０に移行する。
【００７１】
続いて、開閉制御装置３０は、空調負荷が大きいか否かを判断する（ステップＳ２０）。すなわち、判断部３１は、空調風量が「強い」ので空調負荷が大きいと判断すると（ステップＳ２０：ＹＥＳ）、開閉制御部３２に自動ドア２１の動作モードを「閉鎖モード」に設定させる（ステップＳ１６）。
【００７２】
続いて、開閉制御装置３０は、「閉鎖モード」を報知し（ステップＳ１７）、自動ドア２１の動作モードが「通常モード」から「閉鎖モード」になってから所定時間（１０分）が経過するまで待機して（ステップＳ１８：ＮＯ）、所定時間（１０分）が経過すると（ステップＳ１８：ＹＥＳ）、ステップＳ１１に移行する。
【００７３】
次に、本実施形態の効果について説明する。なお、第１の実施形態の（１）〜（６）の効果に加え、以下の効果を奏する。
（７）空調設備１０の空調負荷が大きい、つまり空調設備１０の稼働に影響が大きいときに自動ドア２１による開口部２０の開口量を制限することができる。
【００７４】
（第３の実施形態）
以下、図７及び図８を参照して、開閉制御装置の第３の実施形態について説明する。この実施形態の開閉制御装置は、自動ドア２１の動作モードに「マニュアル（手動）モード」を有する点が上記第２の実施形態と異なっている。以下、第２の実施形態との相違点を中心に説明する。
【００７５】
開閉制御装置３０は、自動ドア２１の動作モードが「閉鎖モード」の状態となってから第１所定時間を経過すると、自動ドア２１を「マニュアル（手動）モード」で開閉制御する。すなわち、判断部３１は、自動ドア２１の動作モードが「手動モード」の状態となってから第１所定時間を経過したと判断すると、開閉制御部３２に動作モードを「手動モード」に設定させる。そして、開閉制御部３２は、判断部３１の設定に従って自動ドア２１を「手動モード」で開閉制御する。「手動モード」は、扉２１Ａ，２１Ｂを手動で操作することによって開口部２０の開口量が制限される動作モードである。例えば、自動ドア２１の開動作及び閉動作の両方が手動のみ可能であってもよいし、自動ドア２１の開動作のみが手動で可能であってもよい。報知部３６は、自動ドア２１の動作モードが「手動モード」に設定されたときに、手動操作であることを報知する。
【００７６】
開閉制御装置３０は、設定情報の値と空間内情報の値との差が所定値よりも大きく、且つ空調負荷が大きいときに、自動ドア２１の動作モードが「通常モード」であるか否かを判断する。すなわち、判断部３１は、自動ドア２１の動作モードが「通常モード」でなければ、自動ドア２１の動作モードが「閉鎖モード」になってから第１所定時間（例えば１０分）を経過しているか、すでに自動ドア２１の動作モードが「手動モード」になっているかを判断する。そして、開閉制御部３２は、自動ドア２１の動作モードが「通常モード」でないときには、第２所定時間（例えば５分）の間、「手動モード」で開閉制御する。
【００７７】
次に、図７及び図８を併せ参照して、開閉制御装置３０の動作について説明する。なお、図７の「状況Ｅ」及び「状況Ｆ」では、空調設備１０は設定温度１８℃で稼働状態である。図７の「状況Ｅ」における図８のフローチャートによって決定される前の動作モードは、「通常モード」である。図７の「状況Ｆ」における図８のフローチャートによって決定される前の動作モードは、「閉鎖モード」である。
【００７８】
まず、図７に示す「状況Ｅ」の場合について図８に従って説明する。
図８に示すように、空間内気温ＴＲを取得する（ステップＳ１３）。すなわち、判断部３１は、空間内気温測定部３５から空間内気温ＴＲとして「１０℃」を取得する。
【００７９】
続いて、開閉制御装置３０は、温度差ＴＤを算出する（ステップＳ１４）。すなわち、判断部３１は、設定温度ＴＰ（１８℃）と空間内気温ＴＲ（１０℃）との温度差ＴＤ（１８℃−１０℃＝８℃）を算出する。
【００８０】
続いて、開閉制御装置３０は、温度差ＴＤが所定値ＶＳよりも大きいか否かを判断する（ステップＳ１５）。すなわち、判断部３１は、温度差ＴＤが所定値ＶＳよりも大きいか否かを判断する。そして、判断部３１は、温度差ＴＤ（８℃）が所定値ＶＳ（５℃）よりも大きいと判断すると（ステップＳ１５：ＹＥＳ）、ステップＳ２０に移行する。
【００８１】
続いて、開閉制御装置３０は、空調負荷が大きいか否かを判断する（ステップＳ２０）。すなわち、判断部３１は、空調風量が「強い」ので空調負荷が大きいと判断すると（ステップＳ２０：ＹＥＳ）、ステップＳ２１に移行する。
【００８２】
続いて、開閉制御装置３０は、自動ドア２１の動作モードが「通常モード」であるか否かを判断する（ステップＳ２１）。すなわち、判断部３１は、自動ドア２１の動作モードが「通常モード」であるので、自動ドア２１の動作モードが「通常モード」であると判断して（ステップＳ２１：ＹＥＳ）、開閉制御部３２に自動ドア２１の動作モードを「閉鎖モード」に設定させる（ステップＳ１６）。
【００８３】
続いて、開閉制御装置３０は、「閉鎖モード」を報知し（ステップＳ１７）、自動ドア２１の動作モードが「通常モード」から「閉鎖モード」になってから第１所定時間（１０分）が経過すると（ステップＳ１８：ＹＥＳ）、ステップＳ１１に移行する。
【００８４】
次に、図７に示す「状況Ｆ」の場合について図８に従って説明する。
図８に示すように、開閉制御装置３０は、空間内気温ＴＲを取得する（ステップＳ１３）。すなわち、判断部３１は、空間内気温測定部３５から空間内気温ＴＲとして「１２℃」を取得する。
【００８５】
続いて、開閉制御装置３０は、温度差ＴＤを算出する（ステップＳ１４）。すなわち、判断部３１は、設定温度ＴＰ（１８℃）と空間内気温ＴＲ（１２℃）との温度差ＴＤ（１８℃−１２℃＝６℃）を算出する。
【００８６】
続いて、開閉制御装置３０は、温度差ＴＤが所定値ＶＳよりも大きいか否かを判断する（ステップＳ１５）。すなわち、判断部３１は、温度差ＴＤ（６℃）が所定値ＶＳ（５℃）よりも大きいと判断すると（ステップＳ１５：ＹＥＳ）、ステップＳ２０に移行する。
【００８７】
続いて、開閉制御装置３０は、空調負荷が大きいか否かを判断する（ステップＳ２０）。すなわち、判断部３１は、空調風量が「強い」ので空調負荷が大きいと判断すると（ステップＳ２０：ＹＥＳ）、ステップＳ２１に移行する。
【００８８】
続いて、開閉制御装置３０は、自動ドア２１の動作モードが「通常モード」であるか否かを判断する（ステップＳ２１）。すなわち、判断部３１は、自動ドア２１の動作モードが「閉鎖モード」であるので、「通常モード」でないと判断して（ステップＳ２１：ＮＯ）、開閉制御部３２に自動ドア２１の動作モードを「手動モード」に設定させる（ステップＳ２２）。すなわち、開閉制御部３２は、扉２１Ａ，２１Ｂを手動で操作することで開口部２０を開閉するように制御する。
【００８９】
続いて、開閉制御装置３０は、「手動モード」を報知し（ステップＳ２３）、自動ドア２１の動作モードが「手動モード」になってから第２所定時間（５分）が経過するまで待機し、第２所定時間（５分）を経過すると（ステップＳ２４：ＹＥＳ）、ステップＳ１１に移行する。
【００９０】
次に、本実施形態の効果について説明する。なお、第１及び第２の実施形態の（１）〜（７）の効果に加え、以下の効果を奏する。
（８）自動ドア２１の動作モードが「手動モード」に設定されるため、自動ドア２１の開状態の時間が減り、自動ドア２１による開口部２０の開口量が制限され、空調設備１０への影響を抑制しつつ、利便性の低下を抑制することができる。
【００９１】
（第４の実施形態）
以下、図９〜図１２を参照して、開閉制御装置の第４の実施形態について説明する。この実施形態の開閉制御装置は、空間の開口部に接続された風除室を有する点、及び風除室の温度（空間外の温度）を加味して開閉部による開口部の開口量を制限する点が上記第１の実施形態と異なっている。以下、第１の実施形態との相違点を中心に説明する。
【００９２】
図９に示すように、空間２の開口部２０を有する面（図中右側）には、風除室３が設けられている。風除室３は、開口部２０を介して空間２と接続されている。風除室３の開口部２０と反対側の面には、人が風除室３（空間２）を出入りする開口部４０が図中右側に設置されている。開口部４０には、この開口部４０を開閉する自動ドア４１が設置されている。自動ドア４１は、２枚の扉４１Ａ，４１Ｂが水平方向（図面上下方向）に移動することで開口部４０を開閉する。図中上側の扉４１Ａは、図面上側へ移動することで開口部４０を開き、図面下側へ移動することで開口部４０を閉じる。図中下側の扉４１Ｂは、図面下側へ移動することで開口部４０を開き、図面上側へ移動することで開口部４０を閉じる。自動ドア４１は、自動ドア２１と異なり、人を検知すると、扉４１Ａ，４１Ｂを開き、開状態を維持する開維持時間が経過すると、扉４１Ａ，４１Ｂを閉じる。
【００９３】
図１０に示すように、開閉制御装置３０は、空間２外である風除室３の環境の気温である空間外気温ＴＯを取得する空間外気温測定部３７を備えている。判断部３１は、空間外気温測定部３７と電気的に接続されている。空間外気温測定部３７は、空間外気温ＴＯを判断部３１に出力する。なお、設定温度ＴＰと空間外気温ＴＯとは比較可能である。
【００９４】
開閉制御装置３０は、設定情報の値と空間内情報の値との差が所定値よりも大きいときに、開口部２０を開閉する自動ドア２１による開口部２０の開口量を制限するとともに、空間外情報の値が設定情報の値と空間内情報の値との間であるときに、自動ドア２１による開口部２０の開口量を増加させる。すなわち、判断部３１は、空調設備１０の設定温度ＴＰと空間内気温ＴＲとの温度差ＴＤが所定値ＶＳよりも大きいか否かを判断することに加え、空間外気温ＴＯが設定温度ＴＰと空間内気温ＴＲとの間であるか否かを判断する。判断部３１は、設定温度ＴＰと空間内気温ＴＲとの温度差ＴＤが所定値ＶＳよりも大きく、且つ空間外気温ＴＯが設定温度ＴＰと空間内気温ＴＲとの間でないときに、自動ドア２１による開口部２０の開口量を制限する開閉動作を開閉制御部３２に指示する。
【００９５】
また、判断部３１は、設定温度ＴＰと空間内気温ＴＲとの温度差ＴＤが所定値ＶＳよりも大きく、且つ空間外気温ＴＯが設定温度ＴＰと空間内気温ＴＲとの間であるときに、自動ドア２１による開口部２０の開口量を増加させる開閉動作を開閉制御部３２に指示する。
【００９６】
開閉制御部３２は、設定温度ＴＰと空間内気温ＴＲとの温度差ＴＤが所定値ＶＳ以下であるときには、自動ドア２１を「通常モード」で開閉制御する。すなわち、温度差ＴＤが所定値ＶＳ以下であると判断部３１が判断すると、開閉制御部３２は動作モードを「通常モード」に設定する。
【００９７】
一方、開閉制御部３２は、設定温度ＴＰと空間内気温ＴＲとの温度差ＴＤが所定値ＶＳよりも大きく、且つ空間外気温ＴＯが設定温度ＴＰと空間内気温ＴＲとの間でないときには、自動ドア２１の動作モードを「閉鎖モード」に設定する。「閉鎖モード」は、自動ドア２１による開口部２０の開口量を制限する上記した動作モードである。
【００９８】
また、開閉制御部３２は、設定温度ＴＰと空間内気温ＴＲとの温度差ＴＤが所定値ＶＳよりも大きく、且つ空間外気温ＴＯが設定温度ＴＰと空間内気温ＴＲとの間であるときには、自動ドア２１の動作モードを「開放モード」に設定する。「開放モード」は、自動ドア２１による開口部２０の開口量を増加させる動作モードである。例えば、開口部２０の開口量の増加は、扉２１Ａ，２１Ｂの開放状態を維持する。開口部２０の開口量が増加することで、空間内気温ＴＲを短時間で空間外気温ＴＯに近づけることができる。
【００９９】
判断部３１は、空間内気温ＴＲが空間外気温ＴＯに達すると、空間２外の空気を取り入れる必要がないため、開閉制御部３２に自動ドア２１の動作モードの「開放モード」を終了させて、自動ドア２１の動作モードを「閉鎖モード」に設定させる。
【０１００】
判断部３１は、空間内気温ＴＲが設定温度ＴＰに達したり、温度差ＴＤが所定値ＶＳ以下となったりすると、開閉制御部３２に自動ドア２１の動作モードの「閉鎖モード」を終了させて、自動ドア２１の動作モードを「通常モード」に設定させる。
【０１０１】
報知部３６は、自動ドア２１の動作モードが「閉鎖モード」であるときに、開口部２０の開口量を制限していることを報知する。また、報知部３６は、自動ドア２１の動作モードが「開放モード」であるときに、開口部２０の開口量が増加されていることを報知する。
【０１０２】
次に、図１１及び図１２を併せ参照して、開閉制御装置３０の動作について説明する。なお、図１１の「状況Ｇ」、「状況Ｈ」、及び「状況Ｉ」では、空調設備１０は設定温度１８℃で稼働状態である。図１１の動作モードは、図１２のフローチャートによって決定される動作モードである。
【０１０３】
まず、図１１に示す「状況Ｇ」の場合について図１２に従って説明する。
図１２に示すように、開閉制御装置３０は、空間内気温ＴＲを取得する（ステップＳ１３）。すなわち、判断部３１は、空間内気温測定部３５から空間内気温ＴＲとして「１５℃」を取得する。
【０１０４】
続いて、開閉制御装置３０は、温度差ＴＤを算出する（ステップＳ１４）。すなわち、判断部３１は、設定温度ＴＰ（１８℃）と空間内気温ＴＲ（１５℃）との温度差ＴＤ（１８℃−１５℃＝３℃）を算出する。
【０１０５】
続いて、開閉制御装置３０は、温度差ＴＤが所定値ＶＳよりも大きいか否かを判断する（ステップＳ１５）。すなわち、判断部３１は、温度差ＴＤが所定値ＶＳよりも大きいか否かを判断する。そして、判断部３１は、温度差ＴＤ（３℃）が所定値ＶＳ（５℃）以下であると判断すると（ステップＳ１５：ＮＯ）、開閉制御部３２に自動ドア２１の動作モードを「通常モード」に設定させて（ステップＳ１９）、ステップＳ１１に移行する。
【０１０６】
次に、図１１に示す「状況Ｈ」の場合について図１２に従って説明する。
図１２に示すように、開閉制御装置３０は、空間内気温ＴＲを取得する（ステップＳ１３）。すなわち、判断部３１は、空間内気温測定部３５から空間内気温ＴＲとして「１０℃」を取得する。
【０１０７】
続いて、開閉制御装置３０は、温度差ＴＤを算出する（ステップＳ１４）。すなわち、判断部３１は、設定温度ＴＰ（１８℃）と空間内気温ＴＲ（１０℃）との温度差ＴＤ（１８℃−１０℃＝８℃）を算出する。
【０１０８】
続いて、開閉制御装置３０は、温度差ＴＤが所定値ＶＳよりも大きいか否かを判断する（ステップＳ１５）。すなわち、判断部３１は、温度差ＴＤ（８℃）が所定値ＶＳ（５℃）よりも大きいと判断すると（ステップＳ１５：ＹＥＳ）、ステップＳ３１に移行する。
【０１０９】
続いて、開閉制御装置３０は、空間外気温ＴＯを取得する（ステップＳ３１）。すなわち、判断部３１は、空間外気温測定部３７から空間外気温ＴＯとして「１０℃」を取得する。
【０１１０】
続いて、開閉制御部３２は、空間外気温ＴＯが設定温度ＴＰと空間内気温ＴＲとの間であるか否かを判断する（ステップＳ３２）。すなわち、判断部３１は、空間外気温ＴＯ（１０℃）が設定温度ＴＰ（１８℃）と空間内気温ＴＲ（１０℃）との間ではないと判断すると（ステップＳ３２：ＮＯ）、開閉制御部３２に自動ドア２１の動作モードを「閉鎖モード」に設定させる（ステップＳ１６）。
【０１１１】
続いて、開閉制御装置３０は、「閉鎖モード」を報知する（ステップＳ１７）。すなわち、報知部３６は、自動ドア２１によって開口部２０の開口量を制限していることを報知する。
【０１１２】
続いて、開閉制御装置３０は、第１所定時間が経過したか否かを判断する（ステップＳ１８）。すなわち、判断部３１は、自動ドア２１の動作モードが「通常モード」から「閉鎖モード」になってからの経過時間が第１所定時間（１０分）未満である場合には、第１所定時間（１０分）が経過していないと判断して（ステップＳ１８：ＮＯ）、第１所定時間（１０分）が経過するまで待機する。
【０１１３】
一方、判断部３１は、自動ドア２１の動作モードが「通常モード」から「閉鎖モード」になってからの経過時間が第１所定時間（１０分）以上である場合には、第１所定時間（１０分）が経過したと判断して（ステップＳ１８：ＹＥＳ）、ステップＳ１１に移行する。
【０１１４】
次に、図１１に示す「状況Ｉ」の場合について図１２に従って説明する。
図１２に示すように、開閉制御装置３０は、空間内気温ＴＲを取得する（ステップＳ１３）。すなわち、判断部３１は、空間内気温測定部３５から空間内気温ＴＲとして「１０℃」を取得する。
【０１１５】
続いて、開閉制御装置３０は、温度差ＴＤを算出する（ステップＳ１４）。すなわち、判断部３１は、設定温度ＴＰ（１８℃）と空間内気温ＴＲ（１０℃）との温度差ＴＤ（１８℃−１０℃＝８℃）を算出する。
【０１１６】
続いて、開閉制御装置３０は、温度差ＴＤが所定値ＶＳよりも大きいか否かを判断する（ステップＳ１５）。すなわち、判断部３１は、温度差ＴＤ（８℃）が所定値ＶＳ（５℃）よりも大きいと判断すると（ステップＳ１５：ＹＥＳ）、ステップＳ３１に移行する。
【０１１７】
続いて、開閉制御装置３０は、空間外気温ＴＯを取得する（ステップＳ３１）。すなわち、判断部３１は、空間外気温測定部３７から空間外気温ＴＯとして「１３℃」を取得する。
【０１１８】
続いて、開閉制御部３２は、空間外気温ＴＯが設定温度ＴＰと空間内気温ＴＲとの間であるか否かを判断する（ステップＳ３２）。すなわち、判断部３１は、空間外気温ＴＯ（１３℃）が設定温度ＴＰ（１８℃）と空間内気温ＴＲ（１０℃）との間であると判断すると（ステップＳ３２：ＹＥＳ）、開閉制御部３２に自動ドア２１の動作モードを「開放モード」に設定させる（ステップＳ３３）。
【０１１９】
続いて、開閉制御装置３０は、「開放モード」を報知する（ステップＳ３４）。すなわち、報知部３６は、自動ドア２１によって開口部２０の開口量を増加させていることを報知する。
【０１２０】
続いて、開閉制御装置３０は、第３所定時間が経過したか否かを判断する（ステップＳ３５）。すなわち、判断部３１は、自動ドア２１の動作モードが「開放モード」になってからの経過時間が第３所定時間（５分）未満である場合には、第３所定時間（５分）が経過していないと判断して（ステップＳ３５：ＮＯ）、第３所定時間（５分）が経過するまで待機する。
【０１２１】
一方、判断部３１は、自動ドア２１の動作モードが「閉鎖モード」になってからの経過時間が第３所定時間（５分）以上である場合には、第３所定時間（５分）が経過したと判断して（ステップＳ３５：ＹＥＳ）、ステップＳ１１に移行する。
【０１２２】
次に、本実施形態の効果について説明する。なお、第１の実施形態の（１）〜（６）の効果に加え、以下の効果を奏する。
（９）空間内気温ＴＲよりも空間外気温ＴＯの方が設定温度ＴＰに近いため、自動ドア２１による開口量を増加させることで、空間２外の空気が空間２内に入り、空間内気温ＴＲが設定温度ＴＰに近づき易くなり、空調設備１０の設定温度ＴＰに空間内気温ＴＲが達するまでの時間を短くすることができる。
【０１２３】
（他の実施形態）
本実施形態は、以下のように変更して実施することができる。本実施形態及び以下の変更例は、技術的に矛盾しない範囲で互いに組み合わせて実施することができる。
【０１２４】
・上記各実施形態において、図１３に示すように、自動ドア２１の扉２１Ａ，２１Ｂとは別に手動で開閉可能な手動扉２３が設置されている場合には、上記実施形態の「閉鎖モード」において、扉２１Ａ，２１Ｂをインタロックして完全に閉鎖してもよい。
【０１２５】
・上記各実施形態では、１個の開口部２０が設けられた空間２としたが、図１４に示すように、複数の開口部２０が設けられた空間１０２としてもよい。例えば、空間１０２は、開口部２０が５個設けられている。これら各開口部２０には、開閉制御装置３０によって制御される自動ドア２１が設置されている。各開閉制御装置３０は、上記各実施形態と同様に、各自動ドア２１の動作モードを同一の動作モードで制御してもよい。
【０１２６】
・また、各開閉制御装置３０は、各開口部２０における空間外気温に応じて各自動ドア２１の動作モードを設定してもよい。空間１０２の各開口部２０は、位置によって、太陽の光が当たっている場所や、太陽の光が当たっていない場所、太陽の光が遮られている場所等があり、開口部２０の空間外気温が異なる。このため、第４の実施形態と同様に、空間２の外の空気を利用して設定温度ＴＰに到達するまでの時間を短縮することができる。
【０１２７】
・また、各開閉制御装置３０は、電気的に接続されて、各開閉制御装置３０が連携して、開口部２０の開口量が制限されるように制御してもよい。例えば、設定温度ＴＰと空間内気温ＴＲとの差が大きいほど、開口部２０の開口量を制限する自動ドア２１の数量を多くしてもよい。
【０１２８】
・上記第３の実施形態では、自動ドア２１の動作モードが「閉鎖モード」の後、「手動モード」とした。しかしながら、「閉鎖モード」に設定する判断のときに「手動モード」としてもよい。また、上記他の実施形態においても、「閉鎖モード」に設定する判断のときに「手動モード」としてもよい。このようにすれば、動作モードを「閉鎖モード」にしたときよりも開口部２０の開口量を制限することができ、空調設備１０の稼働量を抑制することができる。
【０１２９】
・上記各実施形態では、開閉制御装置３０が空間２内の気温を取得する空間内気温測定部３５を備えた。しかしながら、図２及び図１０に示すように、空調設備１０に設けられる空間内気温測定部１３が測定した空間内気温ＴＲを、空調設備１０の通信部１２及び開閉制御装置３０の通信部３４を介して判断部３１が取得してもよい。
【０１３０】
・上記各実施形態において、報知部３６の構成を省略してもよい。
・上記各実施形態では、所定時間ＴＨの間、開口部２０の開口量の制限をせず、所定時間ＴＨの経過後に開口部２０の開口量を制限した。しかしながら、所定時間ＴＨを設けず、最初から開口部２０の開口量を制限してもよい。
【０１３１】
・上記各実施形態では、気温に基づいて開口部２０の開口量を制限したが、温度に替えて湿度に基づいて開口部２０の開口量を制限してもよい。すなわち、設定温度→設定湿度、空間内気温→空間内湿度、空間外気温→空間外湿度としてもよい。また、温度及び湿度の両方に基づいて開口部２０の開口量を制限してもよい。このようにしても、空調設備１０の稼働量を抑制することができる。
【０１３２】
・上記各実施形態では、空間２内の環境状態を示す空間内情報の値である空間内気温ＴＲと設定情報の値である設定温度ＴＰとを比較して、温度差ＴＤが所定値ＶＳよりも大きいときに、開口部２０の開口量を制限した。しかしながら、空間内情報を使わずに、空調設備１０の稼働状態、設定情報に基づいて開口部２０の開口量を制限してもよい。例えば、判断部３１は、空調設備１０の空調負荷が大きいと判断したときに、開口部２０の開口量を制限する「閉鎖モード」に設定してもよい。このようにしても、空調設備１０の稼働量を抑制することができる。
【０１３３】
・上記各実施形態では、扉２１Ａ，２１Ｂが水平に移動することで開口部２０を開閉する自動ドア２１としたが、扉が回転することで開口部を開閉する回転型の自動ドアであってもよい。
【０１３４】
・上記各実施形態では、自動ドア２１を有する開口部２０としたが、窓を有する開口部としてもよい。この場合には、窓の開閉を制御する開閉制御装置が窓による開口部の開口量を制限することで空間内と空間外との空気の出入りを抑制する。よって、空間に設置された空調設備の稼働量を抑制することができる。
【０１３５】
・また、同一空間に自動ドアを有する開口部と、窓を有する開口部とを備える場合には、自動ドアの開閉を制御する開閉制御装置と、窓の開閉を制御する開閉制御装置とがそれぞれ、各開口部の開口量を制限することで空間内と空間外との空気の出入りを抑制してもよい。
【符号の説明】
【０１３６】
１…建物、２…空間、３…風除室、１０…空調設備、１１…空調部、１２…通信部、２０…開口部、２１…開閉部としての自動ドア、２１Ａ…扉、２１Ｂ…扉、２２…駆動装置、３０…開閉制御装置、３１…制限部としての判断部、３２…制限部としての開閉制御部、３３…駆動部、３４…設定情報取得部としての通信部、３５…空間内情報取得部としての室内気温測定部、３６…報知部、３７…空間外情報取得部としての空間外気温測定部、４０…開口部、４１…自動ドア、４１Ａ…扉、４１Ｂ…扉、ＴＤ…温度差、ＴＨ…所定時間、ＴＯ…空間外気温、ＴＰ…設定温度、ＴＲ…空間内気温、ＶＳ…所定値。
【図１】
2020079524.tif 000003
【図２】
2020079524.tif 000004
【図３】
2020079524.tif 000005
【図４】
2020079524.tif 000006
【図５】
2020079524.tif 000007
【図６】
2020079524.tif 000008
【図７】
2020079524.tif 000009
【図８】
2020079524.tif 000010
【図９】
2020079524.tif 000011
【図１０】
2020079524.tif 000012
【図１１】
2020079524.tif 000013
【図１２】
2020079524.tif 000014
【図１３】
2020079524.tif 000015
【図１４】
2020079524.tif 000016